(57)【特許請求の範囲】
【請求項１】
前方に向けて移動する前方配管と後方において固定される後方配管との間に継ぎ足し配管を取り付けることにより、後方から前方に向けて内容物を供給する配管を順次延伸する装置であって、
前記前方配管が載置され、前方に向けて移動可能な台車と、
前記前方配管の途中に設けられ、前記内容物の前方からの漏れを防止するバルブと、
磁性材料を含む本体と、該本体と前記配管の内壁との隙間を密閉するシールと、を有し、前記前方配管内から前記後方配管内に向けて圧入されて前記内容物の後方からの漏れを防止するピストンライナと、
前記台車上に設けられ、前記ピストンライナを前記前方配管内から前記後方配管内に向けて圧入するシリンダと、
前記台車上に設けられ、後方に向けて伸縮可能なスライド架台と、
前記スライド架台上に設けられ、前記ピストンライナを前記後方配管内において該後方配管の管壁を介して磁力により保持する電磁式保持装置と、
を含むことを特徴とする、配管延伸装置。
【請求項２】
前記前方配管は、
前記台車上で前後方向に移動するホースリールに巻き回され、前方に向けて移動可能であり、前方に向けて前記内容物を供給する可撓性のホースと、
配管接続治具が端部に設けられ、前記後方配管が端部に接続される第一の管部と、前記バルブが途中に設けられ、前記ホースが端部に接続される第二の管部と、前記ピストンライナが内部に備えられ、前記シリンダが端部に接続される第三の管部と、を有する三通管と、
を含むことを特徴とする、請求項１に記載の配管延伸装置。
【請求項３】
前記ピストンライナは、
磁性材料を含み、前記電磁式保持装置が吸着作動する際に、円筒形状の前記本体から突出して該本体と前記後方配管の内壁との隙間を狭くする突出部、
を有することを特徴とする、請求項１又は請求項２に記載の配管延伸装置。
【請求項４】
請求項１乃至請求項３のいずれか一項に記載の配管延伸装置を用いた配管延伸方法であって、以下の（１）乃至（９）の各工程を含むことを特徴とする、配管延伸方法。
（１）前記内容物の供給を停止すると共に、前記バルブを閉めることにより、前記内容物の前方からの漏れを防止する第１工程。
（２）前記シリンダを伸長作動させることにより、前記ピストンライナを前記前方配管内から前記後方配管内に向けて圧入し、前記内容物の後方からの漏れを防止する第２工程。
（３）前記電磁式保持装置を吸着作動させることにより、前記ピストンライナを前記後方配管内において該後方配管の管壁を介して磁力により保持する第３工程。
（４）前記シリンダを縮退作動させる第４工程。
（５）前記前方配管と前記後方配管との配管接続部を外す第５工程。
（６）前記台車を前方に向けて移動させた後に、前記スライド架台を伸長作動させることにより、該台車に載置される前記前方配管を前方に向けて移動すると共に、後方において固定される前記後方配管を前記電磁式保持装置及び前記ピストンライナと共に現位置にて維持する第６工程。
（７）前方に向けて移動した前記前方配管と後方において固定される前記後方配管との間に、前記継ぎ足し配管を取り付け、前記配管を延伸する第７工程。
（８）前記電磁式保持装置を解除作動させた後に、前記スライド架台を縮退作動させる第８工程。
（９）前記内容物の供給を開始すると共に、前記バルブを開けることにより、後方から前方に向けて該内容物が供給されると共に、該内容物の供給圧力によって前記ピストンライナが前記前方配管内に回収される第９工程。
【発明の詳細な説明】
【０００１】
【発明の属する技術分野】
本発明は、前方に向けて移動する前方配管と後方において固定される後方配管との間に継ぎ足し配管を取り付けることにより、後方から前方に向けて内容物を供給する配管を順次延伸する装置及び方法に関し、例えば、トンネル施工の一態様であるシールド工法において用いられる配管の延伸に関する。
【０００２】
【従来の技術】
トンネル施工の一態様であるシールド工法においては、後方である坑口側から前方である切羽側のシールド掘削機に向けて、施工に必要な各種の内容物（材料）を供給する配管が多数用いられる。例えば、内容物（材料）とは、泥水，裏込め注入材，加泥材，水等であり、配管とは、それらを供給する送泥管，裏込め注入管，加泥材注入管，水道管等である。
かかる配管は、シールド掘削機の進行に追随して延伸する必要があり、一般に、前方に向けて移動する切羽側の前方配管と、後方において固定される坑口側の後方配管との間に、継ぎ足し配管を取り付けることにより、順次延伸される。
【０００３】
かかる延伸においては、内容物（材料）の無駄をなくし、トンネル坑内の作業環境の改善を図るべく、継ぎ足し配管の取り付け時における内容物（材料）の漏れを防止する必要があり、従来、以下のような方式が採用されていた。
まず、第１の方式は、配管に一定間隔で設置したバルブを適宜閉めることにより内容物の漏れ量を少なくする方式である。これは、内容物が漏れても汚れが少ない場合（水道管）や、漏れ量が比較的少ない場合（小口径配管）に適用されるものである。
また、第２の方式は、ピグと呼ばれるスポンジ状のライナを、専用ポンプによる清水の圧力を利用して配管の中に押し込むことにより、坑口側の後方配管の先端部に栓を施して、内容物の漏れをなくす方式である。
【０００４】
【発明が解決しようとする課題】
しかしながら、前記第１の方式においては、漏れ出た内容物が、泥水，裏込め注入材（セメントミルク），加泥材（硬化材）等のような、そのまま廃棄できないものである場合には、内容物の回収，汚れの清掃，回収した内容物の処理等に、多大な手間と費用がかかるという問題があった。
また、前記第２の方式においては、ピグを押し込むための専用ポンプや清水タンク等の大がかりな設備が必要であり、さらに、多数のバルブの切替作業と複雑な制御とが必要であるため、その構造も複雑なものとなり、特に小口径配管への適用が困難であるという問題があった。
【０００５】
そこで、本発明は、内容物が漏れることなく、種々の配管径に適用可能であり、簡易な構成で容易に配管を延伸することができる、配管延伸装置及び配管延伸方法を提供することを課題とする。
【０００６】
【課題を解決するための手段】
前記課題を解決すべく、本発明の請求項１に係る配管延伸装置（例えば図１参照）では、『前方に向けて移動する前方配管１０と後方において固定される後方配管２０との間に継ぎ足し配管２５を取り付けることにより、後方から前方に向けて内容物３０を供給する配管１を順次延伸する装置であって、
前方配管１０が載置され、前方に向けて移動可能な台車５５と、
前方配管１０の途中に設けられ、内容物３０の前方からの漏れを防止するバルブ１４と、
磁性材料を含む本体６１と、本体６１と配管１の内壁との隙間２１を密閉するシール６２と、を有し、前方配管１０内から後方配管２０内に向けて圧入されて内容物３０の後方からの漏れを防止するピストンライナ６０と、
台車５５上に設けられ、ピストンライナ６０を前方配管１０内から後方配管２０内に向けて圧入するシリンダ６５と、
台車５５上に設けられ、後方に向けて伸縮可能なスライド架台７０と、
スライド架台７０上に設けられ、ピストンライナ６０を後方配管２０内において後方配管２０の管壁２０ａを介して磁力により保持する電磁式保持装置７５と、を含む』ように構成する。
【０００７】
即ち、この配管延伸装置においては、磁性材料を含む本体を有するピストンライナと、電磁式保持装置（例えば電磁石）と、を含むので、ピストンライナが電磁式保持装置の吸着作動により後方配管内において磁力により保持され、栓が施された後方配管から内容物が漏れることなく、磁力の調節により種々の配管径に適用可能であり、従って、簡易な構成で容易に配管を延伸することができる、という効果を奏する。
【０００８】
また、本発明の請求項２に係る配管延伸装置（例えば図２参照）では、前記配管延伸装置において、『前方配管１０は、
台車５５上で前後方向に移動するホースリール８０に巻き回され、前方に向けて移動可能であり、前方に向けて内容物３０を供給する可撓性のホース１１と、
配管接続治具１３が端部に設けられ、後方配管２０が端部に接続される第一の管部１２ａと、バルブ１４が途中に設けられ、ホース１１が端部に接続される第二の管部１２ｂと、ピストンライナ６０が内部に備えられ、シリンダ６５が端部に接続される第三の管部１２ｃと、を有する三通管１２と、を含む』ように構成する。
【０００９】
即ち、この配管延伸装置においては、前記の効果に加えて、前方配管が、ホースリールに巻き回されるホースを含むので、前方配管（の一部）を円滑に前方に向けて移動可能であり、前方配管が、種々の役割を担う各管部を有する三通管を含むので、配管延伸作業が容易かつ確実である、という効果を奏する。
【００１０】
また、本発明の請求項３に係る配管延伸装置（例えば図３参照）では、前記配管延伸装置において、『ピストンライナ６０′は、
磁性材料を含み、電磁式保持装置７５が吸着作動する際に、円筒形状の本体６１から突出して本体６１と後方配管２０の内壁との隙間２１を狭くする突出部６３、を有する』ように構成する。
【００１１】
即ち、この配管延伸装置においては、前記の効果に加えて、ピストンライナが突出部を有するので、電磁式保持装置の吸着作動時におけるピストンライナの拘束力の効率を上げることができる、という効果を奏する。
【００１２】
さらに、本発明の請求項４に係る配管延伸方法（例えば図４及び図５参照）では、『前記配管延伸装置を用いた配管延伸方法であって、
（１）内容物３０の供給を停止すると共に、バルブ１４を閉めることにより、内容物３０の前方からの漏れを防止する第１工程。
（２）シリンダ６５を伸長作動させることにより、ピストンライナ６０を前方配管１０内から後方配管２０内に向けて圧入し、内容物３０の後方からの漏れを防止する第２工程。
（３）電磁式保持装置７５を吸着作動させることにより、ピストンライナ６０を後方配管２０内において後方配管２０の管壁２０ａを介して磁力により保持する第３工程。
（４）シリンダ６５を縮退作動させる第４工程。
（５）前方配管１０と後方配管２０との配管接続部５を外す第５工程。
（６）台車５５を前方に向けて移動させた後に、スライド架台７０を伸長作動させることにより、台車５５に載置される前方配管１０を前方に向けて移動すると共に、後方において固定される後方配管２０を電磁式保持装置７５及びピストンライナ６０と共に現位置にて維持する第６工程。
（７）前方に向けて移動した前方配管１０と後方において固定される後方配管２０との間に、継ぎ足し配管２５を取り付け、配管１を延伸する第７工程。
（８）電磁式保持装置７５を解除作動させた後に、スライド架台７０を縮退作動させる第８工程。
（９）内容物３０の供給を開始すると共に、バルブ１４を開けることにより、後方から前方に向けて内容物３０が供給されると共に、内容物３０の供給圧力によってピストンライナ６０が前方配管１０内に回収される第９工程。の各工程を含む』ように構成する。
【００１３】
即ち、この配管延伸方法においては、第６工程で前方配管を前方に向けて移動した際に、ピストンライナが電磁式保持装置の吸着作動により後方配管内において磁力により保持されるので、第７工程で継ぎ足し配管を取り付ける際に、栓が施された後方配管から内容物が漏れることなく、磁力の調節により種々の配管径に適用可能であり、従って、簡易な構成で容易に配管を延伸することができる、という効果を奏する。
【００１４】
【発明の実施の形態】
以下、本発明に係る配管延伸装置及び配管延伸方法について、図面を参照しつつ詳細に説明する。なお、側面図及び側面断面図においては、図の左側を前方（切羽側）とし、図の右側を後方（坑口側）として説明する。また、以下においては、装置及び方法が、トンネル施工の一態様であるシールド工法において用いられることを念頭に置いて説明する。
【００１５】
１．配管延伸装置の説明
まず配管延伸装置５０の構成に関し、図１乃至図３を参照しつつ説明する。
【００１６】
（ａ）前提となる構成
前提として、配管延伸装置５０は、図１に示すように、前方配管１０と後方配管２０との間に継ぎ足し配管２５（図５参照）を取り付けることにより、後方から前方に向けて内容物３０（図２参照）を供給する配管１を順次延伸する装置である。
ここで、配管１の材質は、供給される内容物３０に応じて適宜選択され、例えば鋼管や銅管が用いられる。ただし、後述するように、後方配管２０内に圧入されるピストンライナ６０を後方配管２０内においてその管壁２０ａを介して磁力により保持する必要があるため、後方配管２０の材質は、磁力を完全に遮蔽するものであってはならない。後述するように、取り付けられた後に新たな後方配管２０として振る舞うことになる、継ぎ足し配管２５においても同様である。
【００１７】
まず前方配管１０は、図１に示すように、配管１の一部をなし、前方である切羽側に向けて移動するものであり、その前端側には、内容物３０の供給先（例えばシールド掘削機の泥水室や注入ノズル等）が接続され、その後端側である配管接続部５には、配管延伸前における後方配管２０又は配管延伸後における継ぎ足し配管２５が接続される。ここでの前方配管１０は、ホース１１と三通管１２とを含む。
このホース１１は、図１に示すように、ホースリール８０に巻き回され、前方に向けて内容物３０を供給する可撓性のホース（例えばゴムホース）であり、シールド掘削機の進行に追随して前方に向けて移動するものである。かかるホース１１の存在により、前方配管１０（の一部）が円滑に前方に向けて移動可能となる。
また三通管１２は、図２に示すように、配管接続部５となる配管接続治具１３が端部に設けられ、後方配管２０が端部に接続される第一の管部１２ａと、バルブ１４が途中に設けられ、ホース１１が端部に接続される第二の管部１２ｂと、ピストンライナ６０が内部に備えられ、シリンダ６５が端部に接続される第三の管部１２ｃと、を有する三通管（例えばＴ字管）であり、各管部が種々の役割を担うものである。かかる三通管１２の存在により、配管延伸作業が容易かつ確実となる。なお、ここでの第二の管部１２ｂは、後方から順に、垂直管部、水平管部、ベンド管部が形成されてなる。
【００１８】
また後方配管２０は、図１に示すように、配管１の一部をなし、後方である坑口側において固定されるものであり、その前端側である配管接続部５には、配管延伸前における前方配管１０又は配管延伸後における継ぎ足し配管２５が接続され、その後端側には、内容物３０の供給元（例えばタンクやポンプ等）が接続されている。
さらに継ぎ足し配管２５は、図５に示すように、配管１の一部をなし、前方配管１０と後方配管２０との間に取り付けられる（継ぎ足される）ものである。なお、取り付けられた継ぎ足し配管２５は、次サイクルの配管延伸方法においては、新たな後方配管２０として振る舞うことになる。
【００１９】
（ｂ）各部の構成
具体的に、配管延伸装置５０は、台車５５と、バルブ１４と、ピストンライナ６０と、シリンダ６５と、スライド架台７０と、電磁式保持装置７５と、を含むものである。
【００２０】
まず台車５５は、図１に示すように、前方配管１０が載置され、前方である切羽側に向けて移動可能なものであり、具体的には、下段フレーム５６ａと中段フレーム５６ｂと上段フレーム５６ｃとが組み合わされてなる枠体５６と、この枠体５６を前方に向けて移動可能とする複数の車輪５７と、からなる。この車輪５７は、モータ５７ａにより駆動され、これにより台車５５は、トンネル坑内を移動する。
前記前方配管１０は、三通管１２が下段フレーム５６ａ上において固設されており、ホース１１がホースリール８０に巻き回されて移動可能になっている。また前記ホースリール８０は、中段フレーム５６ｂ上において前後方向に移動自在に設けられている。このホースリール８０は、モータ８０ａにより回転され、かつ前後方向に移動される。
【００２１】
またバルブ１４は、図２に示すように、前方配管１０の途中に設けられ、内容物３０の前方からの漏れを防止するものであり、具体的には、第二の管部１２ｂにおける水平管部の途中に設けられる、ハンドル１４ａとねじ１４ｂとパッキン１４ｃとからなるねじ込み式のバルブである。なお、バルブ１４の形式は、電磁式バルブ等の他の形式であっても良い。また、バルブ１４は、内容物３０の前方からの漏れを少なくするため、なるべく後方配管２０寄り（例えば第二の管部１２ｂにおける垂直管部）に設けるのが好ましい。
【００２２】
またピストンライナ６０は、図２に示すように、前方配管１０内から後方配管２０内に向けて圧入されて内容物３０の後方からの漏れを防止するものであり、具体的には、第三の管部１２ｃの内部に備えられ、第一の管部１２ａを介して後方配管２０内における先端部まで圧入される。ここでのピストンライナ６０は、本体６１とシール６２とを有する。
この本体６１は、図２に示すように、配管の内径よりも小径の円筒形状をなし、電磁式保持装置７５の発する磁力により所定位置に保持されるべく、磁性材料を含むものである。ここでの磁性材料とは、磁場中に置かれると磁気を帯びる物質を意味し、代表的には金属（例えば鋼や純鉄）が挙げられ、供給される内容物３０に応じて適宜選択される。この本体６１は、磁性材料を含むものであれば、その全体が磁性材料からなるものであっても、その一部が磁性材料からなるものであっても良い。
またシール６２は、図２に示すように、内容物３０の漏れを防止すべく、本体６１と配管１の内壁との隙間２１（図３参照）を密閉するものである。このシール６２も、供給される内容物３０に応じて適宜選択され、例えば内容物３０が、水の場合には止水リングが、油の場合にはＯリングが、泥水や加泥材の場合には密閉パッキンが、それぞれ本体６１の円周面に沿って複数設けられる。
【００２３】
ここでピストンライナ６０は、図３（ａ）に示すように、複数の突出部６３を有するピストンライナ６０′であっても良い。ここでの突出部６３は、磁性材料を含み、電磁式保持装置７５の吸着作動前は図３（ｂ）に示すように本体６１に没しているが、電磁式保持装置７５の吸着作動時に図３（ｃ）に示すように本体６１から突出して、本体６１と後方配管２０の内壁との隙間２１を狭くするものである。かかる突出部６３の存在により、電磁式保持装置７５の吸着作動時におけるピストンライナ６０の拘束力の効率を上げることができる。
ここで、磁性材料は、所望量が突出部６３に含まれていれば良いが、本体６１を構成する磁性材料よりも強磁性の材料が好ましい。また、突出部６３には、電磁式保持装置７５の解除作動時において、自己的に本体６１に没するような付勢力が与えられている。なお、突出部６３は、必ずしも図３（ｃ）に示すように後方配管２０の内壁に接する必要はなく、隙間２１を狭くする程度の突出量のものであっても良い。
【００２４】
またシリンダ６５は、図１に示すように、台車５５上に設けられ、ピストンライナ６０を前方配管１０内から後方配管２０内に向けて圧入するものであり、具体的には、図２に示すように、第三の管部１２ｃの端部に接続され、そのピストン６５ａが伸長して、ピストンライナ６０を押動して後方配管２０内における先端部まで圧入し、その後ピストン６５ａが縮退するものである。
【００２５】
またスライド架台７０は、図１に示すように、台車５５上に設けられ、後方に向けて伸縮可能なものであり、具体的には、下段フレーム５６ａ上に横設される固定部７０ａと、その固定部７０ａから伸長して台車５５の後方に向けて移動可能な架台部７０ｂと、からなる。ここで、架台７０ｂは、配管延伸前は台車５５上にあり、配管延伸時に継ぎ足し配管２５の長さ分だけ後方に向けてスライドするものである。
【００２６】
さらに電磁式保持装置７５は、図２に示すように、スライド架台７０上に設けられ、ピストンライナ６０を後方配管２０内において後方配管２０の管壁２０ａを介して磁力により保持するものであり、具体的には、図３（ｃ）に示すように、架台部７０ｂ上において、複数の電磁石が後方配管２０の先端部を包囲するように設けられてなる。従って、その電磁石の出力を調節して所望の磁力を発することにより、種々の配管径や内容物３０の供給圧力に対応できる。
【００２７】
２．配管延伸方法
次に配管延伸方法に関し、図４及び図５を参照しつつ説明する。なお、両図においては、内在する複数の図のそれぞれについて各工程と対応するようにカッコ付き数字（１）乃至（９）を付してある。また、両図においては、該当する工程中で作動する主要な構成に係る符号のみを記入してあるので、その詳細な構成については、前記図１乃至図３を適宜参照されたい。さらに、両図は側面図であるため、配管内にあるピストンライナは、実際上は見えず図面上には現れないが、ピストンライナの動きを説明する都合により、斜線を付して明示してある。
【００２８】
この配管延伸方法は、前記配管延伸装置５０（図１乃至図３参照）を用いることにより達成される方法であり、以下の（１）乃至（９）の各工程を含む。なお、以下においては、請求項２に係る配管延伸装置を念頭に置いて具体的に説明する。
【００２９】
（０）初期状態
まず、初期状態として、台車５５上に設けられるホースリール８０が前方一杯まで移動しており、ホースリール８０に巻き回されるホース１１も前方一杯まで移動しており、前方配管１０と後方配管２０との間に継ぎ足し配管２５を取り付ける必要がある状態を想定する。
【００３０】
（１）第１工程（図４参照）
まず第１工程として、内容物３０の供給を停止すると共に、前方配管１０の途中に設けられたバルブ１４を閉める。具体的には、後方配管２０の後端側に設けられたポンプ（図示外）の作動を停止し、ハンドル１４ａをねじ込んでパッキン１４ｃにより第二の管部１２ｂを閉鎖する。
これにより、内容物３０の前方からの漏れを防止する。
【００３１】
（２）第２工程（図４参照）
次に第２工程として、台車５５上に設けられたシリンダ６５を伸長作動させる。具体的には、ピストン６５ａが、第三の管部１２ｃ内から第一の管部１２ａを介して、後方配管２０内における先端部（電磁式保持装置７５に対応する位置）まで伸長し、ピストンライナ６０を押動する。
これにより、ピストンライナ６０を前方配管１０内から後方配管２０内に向けて圧入し、内容物３０の後方からの漏れを防止する。
【００３２】
（３）第３工程（図４参照）
次に第３工程として、スライド架台７０上に設けられた電磁式保持装置７５を吸着作動させる。具体的には、配管径や内容物３０の供給圧力を考慮して、電磁石の出力を調節し、所望の磁力を発する。
これにより、ピストンライナ６０を、後方配管２０内における先端部（電磁式保持装置７５に対応する位置）において、後方配管２０の管壁２０ａを介して磁力により保持する。
なお、図３に示すようなピストンライナ６０′を用いた場合には、電磁式保持装置７５の吸着作動に伴い、突出部６３が突出して隙間２１を狭くするので、ピストンライナ６０′の拘束力の効率が上がる。
【００３３】
（４）第４工程（図４参照）
次に第４工程として、シリンダ６５を縮退作動させる。具体的には、後方配管２０内における先端部にあるピストン６５ａが、第一の管部１２ａを介して第三の管部１２ｃ内まで縮退する。
【００３４】
（５）第５工程（図４参照）
次に第５工程として、前方配管１０と後方配管２０との配管接続部５を外す。具体的には、配管接続部５における配管接続治具１３を外して、第一の管部１２ａと後方配管２０とを分離可能な状態とする。
これら第４工程及び第５工程の終了後において、後方配管２０は、電磁式保持装置７５の発する磁力により保持されるピストンライナ６０で、栓を施されている状態にある。
【００３５】
（６）第６工程（図４参照）
次に第６工程として、台車５５を前方に向けて移動させると共に、スライド架台７０を伸長作動させる。具体的には、台車５５上に設けられるホースリール８０を後方まで移動してホース１１を巻き取り、同時に車輪５７を駆動して台車５５を前方に向けて移動し、併せて架台部７０ｂを継ぎ足し配管２５の長さ分だけ後方に向けてスライドする。
これにより、台車５５に載置される前方配管１０を前方に向けて移動すると共に、後方において固定される後方配管２０を電磁式保持装置７５及びピストンライナ６０と共に現位置にて維持する。即ち、前方配管１０と後方配管２０とを分離して、両者の間に継ぎ足し配管２５を取り付ける空間を形成する。この時、前方配管１０はバルブ１４により閉止されており、後方配管２０はピストンライナ６０により栓を施されているので、両配管からの内容物３０の漏れは防止される。
【００３６】
（７）第７工程（図５参照）
次に第７工程として、前方に向けて移動した前方配管１０と後方において固定される後方配管２０との間に、継ぎ足し配管２５を取り付け、配管１を延伸する。具体的には、後方配管２０と継ぎ足し配管２５とを、溶接等により固定して接続し、前方配管１０と継ぎ足し配管２５とを、配管接続部５において配管接続治具１３により再度の分離が可能なように接続する。
【００３７】
（８）第８工程（図５参照）
次に第８工程として、電磁式保持装置７５を解除作動させた後に、スライド架台７０を縮退作動させる。具体的には、電磁石の作動を停止した後に、同時に架台部７０ｂを前方に向けてスライドして台車５５上に回収する。
これら第７工程及び第８工程の終了後において、ピストンライナ６０は、現位置にて維持されているが、磁力による保持は解除されているので、配管１内を移動可能な状態にある。
【００３８】
（９）第９工程（図５参照）
最後に第９工程として、内容物３０の供給を開始すると共に、バルブ１４を開ける。具体的には、後方配管２０の後端側に設けられたポンプ（図示外）の作動を開始し、ハンドル１４ａをねじ戻してパッキン１４ｃによる第二の管部１２ｂの閉鎖を解除する。
これにより、後方から前方に向けて内容物３０が供給される。具体的には、内容物３０が、後方配管２０から、継ぎ足し配管２５，第一の管部１２ａ，第二の管部１２ｂを介して、ホース１１に向けて供給される。併せて、内容物３０の供給圧力によってピストンライナ６０が前方配管１０内に回収される。具体的には、ピストンライナ６０が、後方配管２０内における先端部から、継ぎ足し配管２５，第一の管部１２ａを介して、第三の管部１２ｃ内に回収される。
【００３９】
（１０）その後
シールド掘削機の進行に追随してホースリール８０及びホース１１が前方に向けて移動し、両者が前方一杯まで移動した時点で前記初期状態に戻り、その後、次サイクルの配管延伸方法に移行する。
【００４０】
３．その他
以上においては、本発明により、一本の配管を延伸する場合について説明を行ったが、本発明は、複数の配管を延伸する場合についても適用可能である。即ち、複数の配管に対応して、一台の台車上に複数のバルブ，ピストンライナ，シリンダ，スライド架台，電磁式保持装置等を備えれば良い。
また、スペースの関係上、一台の台車上に複数の上記構成を備えるのが困難である場合には、該構成の一部を兼用して用いるようにすることも可能である。例えば、台車上に一台のシリンダをトンネル幅方向にスライド可能に備え、複数の配管について兼用して用いるようにし、一本ずつ配管を延伸することが可能である。
【００４１】
また、以上においては、本発明が、トンネル施工の一態様であるシールド工法において用いられることを念頭に置いて説明を行ったが、本発明は、その趣旨を逸脱しない範囲において、それ以外の用途についても当然に適用可能である。
【００４２】
なお、本発明は、前方から後方に向けて内容物を回収する配管（例えば排泥管や洗浄管）についても適用可能である。即ち、以上の説明における「前方」と「後方」とを入れ替えて理解すれば良く、かかる概念も本発明に含まれるものである。
【００４３】
【発明の効果】
本発明は、以上に説明したように構成したので、以下のような効果を奏する。
（１）配管延伸において、内容物の漏れを防止できるので、内容物の無駄を防止でき、トンネル坑内の作業環境も改善され、漏れ出た内容物の回収や処理に要する手間も費用もかからない。
（２）配管延伸において、種々の配管径に適用可能であり、特に構成が簡易であるため、小口径配管や小口径シールドにも適用可能であり、その操作も容易である。
（３）配管延伸において、ピストンライナ及びそのシールの交換やその他の構成のメンテナンスも容易である。
【００４４】
即ち、本発明においては、ピストンライナが電磁式保持装置の吸着作動により後方配管内において磁力により保持されるので、栓が施された後方配管から内容物が漏れることなく、磁力の調節により種々の配管径に適用可能であり、従って簡易な構成で容易に配管を延伸することができる、という顕著な効果を奏する。
【図面の簡単な説明】
【図１】本発明に係る配管延伸装置の全体の構成を示す側面図である。
【図２】本発明に係る配管延伸装置の要部の構成を示す側面断面図である。
【図３】ピストンライナの他の実施の形態を示す図であり、（ａ）は側面図，（ｂ）は吸着作動前を示す正面断面図，（ｃ）は吸着作動時を示す正面断面図である。
【図４】本発明に係る配管延伸方法の（１）第１工程乃至（６）第６工程を示す側面図である。
【図５】本発明に係る配管延伸方法の（７）第７工程乃至（９）第９工程を示す側面図である。
【符号の説明】
１      配管
５      配管接続部
１０      前方配管
１１      ホース
１２      三通管
１２ａ    第一の管部
１２ｂ    第二の管部
１２ｃ    第三の管部
１３      配管接続治具
１４      バルブ
２０      後方配管
２０ａ    管壁
２１      隙間
２５      継ぎ足し配管
３０      内容物
５０      配管延伸装置
５５      台車
６０      ピストンライナ
６１      本体
６２      シール
６３      突出部
６５      シリンダ
７０      スライド架台
７５      電磁式保持装置（電磁石）
８０      ホースリール
【図１】
0004344854.tif 000002
【図２】
0004344854.tif 000003
【図３】
0004344854.tif 000004
【図４】
0004344854.tif 000005
【図５】
0004344854.tif 000006